(57)【要約】【課題】ハンドルの構造がシンプルである上、使い勝手の点でも優れている電気機器収納用箱体を提供する。【解決手段】ハンドル１０に、回動軸を構成する回動軸部１１と、回動軸部１１から延びるレバー状の操作部１２と、回動操作によって箱本体２側に設けられた受け具２０の被係合部２２と係合／解除する係合部１３とが一体成形により備えられている。したがって、従来のハンドルよりも構造がシンプルであり、部品点数も少なく、低コストで製造することができるし、ハンドル１０の取り付けを非常に簡易に行うことができる。【選択図】図４
2017022829.tif 000002
【特許請求の範囲】
【請求項１】
前面に開口を有する箱本体に対し、前記開口を開閉するための扉体が、左右何れかの側縁を軸として片開き自在に取り付けられているとともに、前記扉体に、前記扉体を閉塞状態で保持する保持姿勢と、前記扉体を開放可能とする解除姿勢との間で回動操作可能なハンドルが設けられた電気機器収納用箱体であって、
前記ハンドルに、回動軸を構成する回動軸部と、前記回動軸部から延びるレバー状の操作部と、回動操作によって前記箱本体側に設けられた被係合部と係合／解除する係合部とが一体成形により備えられていることを特徴とする電気機器収納用箱体。
【請求項２】
前記被係合部における前記係合部との係合位置よりも解除側で、前記ハンドルの回動操作に伴う前記係合部の移動軌跡上に、前記係合部が接触して乗り越えることにより使用者にクリック感を与えるための突部を設けたことを特徴とする請求項１に記載の電気機器収納用箱体。
【発明の詳細な説明】
【技術分野】
【０００１】
本発明は、たとえば分電盤や配電盤、制御盤等の各種電気機器を収納するための電気機器収納用箱体に関するものである。
【背景技術】
【０００２】
分電盤や配電盤等の各種電気機器を収納するための電気機器収納用箱体としては、前面に開口を有する箱本体の前面側に、その開口を開閉するための扉体を、左右何れか一方の側部を軸として片開き自在に蝶着したものが従来一般的に知られている。そして、そのような扉体には、たとえば特許文献１に記載されているように、扉体を閉塞状態で保持する錠機構部を備えており、使用者によって回動操作されるハンドルが設けられている。
【先行技術文献】
【特許文献】
【０００３】
【特許文献１】特開２００６−２９６０２２号公報
【発明の概要】
【発明が解決しようとする課題】
【０００４】
しかしながら、一般的なハンドルでは、使用者が回動操作する操作部と、扉体を閉塞状態で保持する錠機構部とが夫々別部材として成形され、ネジ等によって一体化される等しており、部品点数が多くて構造が複雑であり、製造コストがかかる、取付作業が煩わしい等の問題がある。また、使用者にしてみると、ハンドルを回動操作しただけでは扉体が閉塞保持の状態にあるのか否か判別しづらく、使い勝手の点でも問題を抱えていた。
【０００５】
そこで、本発明は、上記問題に鑑みなされたものであって、ハンドルの構造がシンプルである上、使い勝手の点でも優れている電気機器収納用箱体を提供しようとするものである。
【課題を解決するための手段】
【０００６】
上記目的を達成するために、本発明のうち請求項１に記載の発明は、前面に開口を有する箱本体に対し、前記開口を開閉するための扉体が、左右何れかの側縁を軸として片開き自在に取り付けられているとともに、前記扉体に、前記扉体を閉塞状態で保持する保持姿勢と、前記扉体を開放可能とする解除姿勢との間で回動操作可能なハンドルが設けられた電気機器収納用箱体であって、前記ハンドルに、回動軸を構成する回動軸部と、前記回動軸部から延びるレバー状の操作部と、回動操作によって前記箱本体側に設けられた被係合部と係合／解除する係合部とが一体成形により備えられていることを特徴とする。
請求項２に記載の発明は、請求項１に記載の発明において、前記被係合部における前記係合部との係合位置よりも解除側で、前記ハンドルの回動操作に伴う前記係合部の移動軌跡上に、前記係合部が接触して乗り越えることにより使用者にクリック感を与えるための突部を設けたことを特徴とする。
【発明の効果】
【０００７】
本発明によれば、ハンドルに、回動軸を構成する回動軸部と、回動軸部から延びるレバー状の操作部と、回動操作によって箱本体側に設けられた被係合部と係合／解除する係合部とが一体成形により備えられている。したがって、従来のハンドルよりも構造がシンプルであり、部品点数も少なく、低コストで製造することができるし、ハンドルの取り付けを非常に簡易に行うことができる。
また、請求項２に記載の発明によれば、被係合部における係合部との係合位置よりも解除側で、ハンドルの回動操作に伴う係合部の移動軌跡上に、係合部が接触して乗り越えることにより使用者にクリック感を与えるための突部を設けている。したがって、使用者は、ハンドルを回動操作した際に、係合部と被係合部との係合状態、ひいては閉塞保持の状態にあるか否かをクリック感で容易に判別することができ、使い勝手が良い。
【図面の簡単な説明】
【０００８】
【図１】扉体が閉塞された状態にある電気機器収納用箱体を示した斜視説明図である。
【図２】扉体が開放された状態にある電気機器収納用箱体を示した斜視説明図である。
【図３】ハンドルを表側から示した説明図である。
【図４】扉体を閉塞状態で保持する際のハンドルの状態を裏側から示した斜視説明図である。
【図５】ハンドルの裏側を示した斜視説明図である。
【図６】南京錠を取り付けた状態にある電気機器収納用箱体を示した斜視説明図である。
【図７】南京錠を取り付ける様子を示した説明図である。
【図８】南京錠を取り付けた状態のハンドル内部を示した説明図である。
【発明を実施するための形態】
【０００９】
以下、本発明の一実施形態となる電気機器収納用箱体（以下、単に収納箱と称す）について、図面をもとに説明する。
【００１０】
図１は、扉体３が閉塞された状態にある収納箱１を示した斜視説明図である。図２は、扉体３が開放された状態にある収納箱１を示した斜視説明図である。図３は、ハンドル１０を表側から示した斜視説明図である。図４は、扉体３を閉塞状態で保持する際のハンドル１０の状態を裏側から示した説明図である。図５は、ハンドル１０の裏側を示した斜視説明図である。図６は、南京錠３０を取り付けた状態にある収納箱１を示した斜視説明図である。図７は、南京錠３０を取り付ける様子を示した説明図である。図８は、南京錠３０を取り付けた状態のハンドル１０内部を示した説明図である。
【００１１】
収納箱１は、前面に開口を有する箱本体２と、箱本体の開口を開閉する扉体３とを備えてなる。箱本体２は、天板、左右両側板、背板、及び底板を有して前面を除く５面（上面、左右両側面、後面、及び下面）が閉塞された箱体であり、その内部空間に、分電盤等の各種電気機器を収納可能となっている。また、箱本体２の前面の開口周縁部には、前方へ延設された後に上下左右外方へ折り返されてなる水切り部４が設けられている。さらに、箱本体２の前面には、水切り部４を含めて箱本体２の開口を開閉する扉体３が取り付けられている。該扉体３は、外周縁部が後側へ折り曲げられてなり、箱本体２に対し右側部を軸として片開き自在となっている。そして、扉体３の左側面部に使用者が回動操作可能なハンドル１０が、箱本体２の水切り部４の左部表面にハンドル１０が係合可能な受け具２０が夫々設置されている。
【００１２】
ここで、本発明の要部となるハンドル１０及び受け具２０について詳細に説明する。
ハンドル１０は、上下方向に長い金属製の部材であって、前面、上面、後面、底面、及び左側面を一体的に有して、右側が裏側となるレバー状に形成されており、その下部には、ハンドル１０の回動軸を構成する回動軸部１１が右側（裏側）へ突設されている。また、回動軸部１１よりも上側は、使用者が把持する操作部１２として機能し、操作部１２における後面や前面は、使用者が把持しやすいように滑らかに湾曲した曲面とされている。さらに、ハンドル１０の後面で、上下方向で回動軸部１１と略同じ高さ位置では、その右縁が右側へ舌片状に突出しており、当該突出部が受け具２０に係合する係合部１３となっている。すなわち、ハンドル１０では、操作部１２と係合部１３とが一体成形により備えられている。そして、この係合部１３の前面下縁に沿って前方へ隆起する隆起部１４が設けられており、当該隆起部１４が、ハンドル１０の回動操作に応じて受け具２０の係合凹部２４に入り込むことで、ハンドル１０と受け具２０とが係合され、係合凹部２４から抜け出ることでハンドル１０と受け具２０との係合状態が解除されることになる。また、係合部１３の前面上縁に沿っても前方へ隆起する突条部１５が設けられている。この突条部１５は、隆起部１４よりも前方への突出量が大きく、受け具２０との係合時に受け具２０のクリック突条２３に当接し、ハンドル１０の更なる係合側への回動操作を規制する規制部として機能するようになっている。加えて、ハンドル１０の前面の下端部で、回動軸部１１よりも下側となる位置、及び底面には、南京錠３０の掛け金３１を挿通させるための錠用切り欠き１６Ａ、１６Ｂが夫々設けられている。
【００１３】
一方、受け具２０は、上面視Ｌ字状に形成された金属製部材であって、水切り部４の表面に固定される板状の固定部２１と、固定部２１から立設された被係合部２２とを有している。被係合部２２は、固定部２１から左右方向へ延設された舌状部であって、その後面の上縁と下縁とに沿って後側へ隆起している。そして、上縁側（被係合部２２における係合部１３の係合位置よりも解除側）の隆起部は、ハンドル１０の隆起部１４が表面を乗り越える際に使用者にクリック感を与えるクリック突条２３として機能する。また、クリック突条２３と下縁側の隆起部との間となる箇所、すなわちクリック突条２３側から見ると前方へ凹んだ凹部が、ハンドル１０の回動操作に応じて隆起部１４が係合／解除する係合凹部２４となる。
【００１４】
上記ハンドル１０は、扉体３の左側の折り曲げ部の表面に、左右方向を軸として、操作部１２が上側に、係合部１３が後側に夫々位置する起立姿勢（保持姿勢）と、操作部１２が前側に、係合部１３が上側に夫々位置する傾倒姿勢（解除姿勢）との間で回動自在に取り付けられる。また、受け具２０は、水切り部４の左部の表面で、扉体３を閉塞した際にハンドル１０の取付位置に対応する位置に、係合凹部２４が後側を向いており、且つ、被係合部２２が左側（箱本体２の外側）へ突出するような姿勢で固定部２１が固定されて取り付けられる。そして、扉体３を閉塞した状態において、ハンドル１０を上記傾倒姿勢から起立姿勢へと回動操作すると、係合部１３の隆起部１４が、その移動軌跡上にあるクリック突条２３の表面に被係合部２２の上側から接触し、当該クリック突条２３を乗り越えて係合凹部２４に係合し、扉体３が閉塞状態で保持されることになる。一方、扉体３が閉塞保持されている状態において、ハンドル１０を起立姿勢から傾倒姿勢へ回動操作すると、係合部１３の隆起部１４が、クリック突条２３を乗り越えて係合凹部２４から上方へ移動し、係合部１３と被係合部２２との係合が解除され、扉体３が開放可能となる。なお、扉体３の左側の折り曲げ部の後縁で、ハンドル１０の取付位置に対応する位置には、受け具２０の被係合部２２をハンドル１０側へ受け入れ可能とする切り欠き（図示せず）が設けられている。
【００１５】
また、図８に示すように、扉体３の左側の折り曲げ部の表面で、ハンドル１０の回動軸部１１の近傍でハンドル１０に覆われる位置には、左側（外側）へ突出する規制突起５が設けられている。そして、収納箱１では、南京錠３０を用いることにより、図６に示すように扉体３を閉塞状態でロック可能となっている。すなわち、扉体３を閉塞させてハンドル１０を上述の如く起立姿勢とした状態において、図７に示すように、南京錠３０の掛け金３１を錠用切り欠き１６Ａから錠用切り欠き１６Ｂへと挿通させて、南京錠３０を施錠する。すると、掛け金３１がハンドル１０を貫通することになるとともに、ハンドル１０内において掛け金３１の近傍位置に規制突起５が位置した状態となる。すなわち、扉体３を閉塞保持した状態においてハンドル１０を起立姿勢から傾倒姿勢側へ回動操作した際における掛け金３１の移動軌跡上となる位置に、規制突起５が位置することになる。したがって、当該状態からハンドル１０を傾倒姿勢側へ回動操作しようにも掛け金３１が規制突起５に干渉して、ハンドル１０の回動操作が規制される、つまり扉体３が閉塞状態でロックされることになる。
【００１６】
以上のような構成を有する収納箱１によれば、回動軸を構成する回動軸部１１と、回動軸部１１から延びる操作部１２と、受け具２０の被係合部２２に係合する係合部１３とを一体成形により備えてなるハンドル１０を採用しているため、従来のハンドルと比較して構造がシンプルであり、部品点数も少なく、低コストで製造することができるし、ハンドル１０の取り付けを非常に簡易に行うことができる。
【００１７】
また、受け具２０の被係合部２２において、係合部１３が係合する係合凹部２４よりも係合部１３の解除側に隣接した位置で、且つ、ハンドル１０の回動操作に伴う係合部１３の移動軌跡上となる位置に、係合部１３が接触して乗り越えるクリック突条２３を設けている。そのため、使用者は、ハンドル１０を回動操作した際に、係合部１３が係合凹部２４に係合するタイミングや、係合部１３と係合凹部２４との係合状態が解除されるタイミングにクリック感を得ることができる。したがって、使用者は、ハンドル１０の回動操作に応じて、扉体３が閉塞保持の状態にあるか否かを容易に判別することができ、使い勝手が良い。
【００１８】
さらに、ハンドル１０に南京錠３０の掛け金３１を挿通可能な錠用切り欠き１６Ａ、１６Ｂを設けるとともに、扉体３の表面において、起立姿勢にあるハンドル１０に取り付けられた南京錠３０の掛け金３１に近接する位置に規制突起５を設けている。そして、南京錠３０を取り付けることで、扉体３を閉塞保持しているハンドル１０を起立姿勢から傾倒姿勢側へ回動操作した際、掛け金３１が規制突起５に干渉してハンドル１０の傾倒姿勢側への回動操作が規制され、扉体３が閉塞状態でロックされるようにした。したがって、扉体３をロックする必要がある場合には、南京錠３０を後付けするだけで対応することができる上、その後付けも非常に容易に行うことができ、汎用性に優れている。
加えて、錠装置として南京錠を用いるとともに、ハンドル１０に、南京錠３０の掛け金３１が切り欠き１６Ａ、１６Ｂを、扉体３の表面に、掛け金３１が干渉する規制突起５を夫々設けるだけで扉体３のロックに係る構造を構成することができるため、従来の複雑な錠装置と比較すると構造が簡素であり、低コストで製造することができる。
【００１９】
なお、本発明の収納箱に係る構成は、上記実施形態に記載の態様に何ら限定されるものではなく、箱本体や扉体の構成等は勿論、ハンドルや受け具に係る構成についても、本発明の趣旨を逸脱しない範囲で、必要に応じて適宜変更することができる。
【００２０】
たとえば、上記実施形態では、ハンドルに錠用切り欠きを設けて南京錠を取付可能に構成しているが、南京錠を取り付けられないような構成としてもよい。
また、南京錠を取付可能に構成するとしても、その取付位置等に関しては適宜設計変更可能である。さらに、南京錠による扉体のロックを実現するための規制突起についても、扉体側ではなく、受け具や箱本体等、箱本体側に設けることも可能である。
さらにまた、上記実施形態では、突部としてクリック突条を設けているが、使用者にクリック感を得させるための突部の形状や位置等についても適宜変更可能である。
【００２１】
また、上記実施形態では、扉体の右側部を軸として片開き自在としているが、言うまでもなく左側部を軸として片開き自在としても何ら問題はない。
さらに、ハンドルにおいて操作部等と一体成形される回動軸部としては、回動軸そのものを一体成形してもよいし、回動軸となるボルト等の軸部材が挿通可能な軸孔を回動軸部として一体成形するように構成してもよい。
加えて、箱本体側における受け具の位置についても適宜変更可能であり、水切り部ではなく、箱本体の前面開口周縁部に設けても何ら問題はない。
【符号の説明】
【００２２】
１・・収納箱（電気機器収納用箱体）、２・・箱本体、３・・扉体、５・・規制突起、１０・・ハンドル、１１・・回動軸部、１２・・操作部、１３・・係合部、１４・・隆起部、１５・・突条部、１６Ａ、１６Ｂ・・錠用切り欠き、２０・・受け具、２１・・固定部、２２・・被係合部、２３・・クリック突条（突部）、２４・・係合凹部（係合位置）、３０・・南京錠、３１・・掛け金。
【図１】
2017022829.tif 000003
【図２】
2017022829.tif 000004
【図３】
2017022829.tif 000005
【図４】
2017022829.tif 000006
【図５】
2017022829.tif 000007
【図６】
2017022829.tif 000008
【図７】
2017022829.tif 000009
【図８】
2017022829.tif 000010